(57)【要約】【課題】プリペイドカードの利用者、被利用者の双方にとって利便性を享有することが可能となるカード残額積み替え方法、カード残額積み替え装置、カード残額積み替えシステム、ＩＣカードを用いる料金収受システムを提供すること。【解決手段】第１のプリペイドカードの真贋を判定し、真券である場合に、第２のプリペイドカードの残額に第１のプリペイドカードの残額を積み増しかつ第２のプリペイドカードに第１の仮処理フラグを書き込み、第１のプリペイドカードに第２のプリペイドカードの固有情報を書き込んで回収し、偽券または真偽不明の場合に、第２のプリペイドカードに第２の仮処理フラグを書き込み、第１のプリペイドカードに第２のプリペイドカードの固有情報を書き込んで回収し、いずれの場合も第２のプリペイドカードの固有情報および積み増し後／前の残額を記録として残す。【選択図】      図２
2004326670.tif 000002
【特許請求の範囲】
【請求項１】
第１のプリペイドカードの真贋を判定する第１のステップと、
前記判定された結果が真券である場合に、前記第１のプリペイドカードとは異なる第２のプリペイドカードの残額に前記第１のプリペイドカードの残額を積み増しかつ前記第２のプリペイドカードに第１の仮処理フラグを書き込み、前記第１のプリペイドカードに前記第２のプリペイドカードの固有情報を書き込んで該固有情報が書き込まれた第１のプリペイドカードを回収し、さらに、前記残額が積み増されかつ前記第１の仮処理フラグが書き込まれた第２プリペイドカードを供給する、の一連の処理を行なう第２のステップと、
前記判定された結果が偽券または真偽不明の場合に、前記第１のプリペイドカードとは異なる第２のプリペイドカードに前記第１の仮処理フラグとは異なる第２の仮処理フラグを書き込み、前記第１のプリペイドカードに前記第２のプリペイドカードの固有情報を書き込んで該固有情報が書き込まれた第１のプリペイドカードを回収し、さらに、前記第２の仮処理フラグが書き込まれた第２プリペイドカードを供給する、の一連の処理を行なう第３のステップと、
前記第２のステップの前記処理の内容のうち少なくとも前記第２のプリペイドカードの固有情報および積み増し後の残額、または前記第３のステップの前記処理の内容のうち少なくとも前記第２のプリペイドカードの固有情報および残額を、記録として残す第４のステップと
を具備することを特徴とするカード残額積み替え方法。
【請求項２】
前記第２のステップで回収された第１のプリペイドカードについて、残額と前記記録された第２のプリペイドカードの固有情報とを読み出しかつ精度を向上して再度真贋判定するステップと、
前記再度の真贋判定の結果が偽券である場合に、前記読み出された固有情報により、前記第４のステップで残された前記第２のプリペイドカードの積み増し後の残額記録から、前記読み出された第１のプリペイドカードの残額の分を減じて記録し直すステップと
をさらに具備することを特徴とする請求項１記載のカード残額積み替え方法。
【請求項３】
前記第３のステップで回収された第１のプリペイドカードについて、残額と前記記録された第１のプリペイドカードの固有情報とを読み出しかつ精度を向上して再度真贋判定するステップと、
前記再度の真贋判定の結果が真券である場合に、前記読み出された固有情報により、前記第４のステップで残された前記第２のプリペイドカードの残額記録に、前記読み出された第１のプリペイドカードの残額の分を加えて記録し直すステップと
をさらに具備することを特徴とする請求項１記載のカード残額積み替え方法。
【請求項４】
前記供給された第２のプリペイドカードの保持情報を読み取るステップと、
前記読み取られた情報に前記第１の仮処理フラグが含まれる場合に、前記読み取られた情報に含まれる固有情報から前記記録を調査するステップと、
前記調査された記録の内容に基づき、前記情報を読み取られた第２のプリペイドカードについて残額を減ずるステップと、
前記残額を減じられた第２のプリペイドカードの前記第１の仮処理フラグを消去するステップと
をさらに具備することを特徴とする請求項２記載のカード残額積み替え方法。
【請求項５】
前記供給された第２のプリペイドカードの保持情報を読み取るステップと、
前記読み取られた情報に前記第２の仮処理フラグが含まれる場合に、前記読み取られた情報に含まれる固有情報から前記記録を調査するステップと、
前記調査された記録の内容に基づき、前記情報を読み取られた第２のプリペイドカードについて残額を増加させるステップと、
前記残額を増加された第２のプリペイドカードの前記第２の仮処理フラグを消去するステップと
をさらに具備することを特徴とする請求項３記載のカード残額積み替え方法。
【請求項６】
第１のプリペイドカードの真贋を判定するカード監査部と、
前記第１のプリペイドカードの残額を読み取りかつ前記第１のプリペイドカードとは異なる第２のプリペイドカードが有する固有情報を前記第１のプリペイドカードに書き込む第１プリペイドカードリードライタと、
前記第２のプリペイドカードから該第２のプリペイドカードが有する前記固有情報を読み取り、かつ、前記判定された結果が真券である場合には、該第２のプリペイドカードに対して前記読み取られた第１のプリペイドカードの残額の分の積み増しを行いかつ該第２のプリペイドカードに第１の仮処理フラグを書き込み、前記判定された結果が偽券または真偽不明の場合には、該第２のプリペイドカードに前記第１の仮処理フラグとは異なる第２の仮処理フラグを書き込む第２プリペイドカードリードライタと、
前記固有情報が書き込まれた第１のプリペイドカードを回収する第１プリペイドカード回収部と、
前記第２のプリペイドカードの積み増し後残額または積み増しがされない残額並びに前記読み取られた固有情報を外部に送信する送信部と
を具備することを特徴とするカード残額積み替え装置。
【請求項７】
第１のプリペイドカードを真贋判定するカード監査部と、
前記第１のプリペイドカードから残額と記録された第２のプリペイドカードの固有情報とを読み取るカードリードライタと、
前記真贋判定の結果が偽券である場合には、前記第２のプリペイドカードについての残額記録を前記読み取られた第１のプリペイドカード残額の分だけ減じて記録し直すべき旨の情報を生成し、前記再度の真贋判定の結果が真券である場合には、前記第２のプリペイドカードについての残額記録を前記読み取られた第１のプリペイドカード残額の分だけ増して記録し直すべき旨の情報を生成する処理部と、
前記生成された情報と前記読み取られた固有情報とを外部に送信する送信部と
を具備することを特徴とするカード残額積み替え装置。
【請求項８】
プリペイドカードに記録された固有情報と積み増しありに関するまたは積み増しなしに関する仮処理フラグとを読み取るカード情報読み取り部と、
前記読み取られた仮処理フラグが積み増しありに関する場合には、前記読み取られた固有情報に関連して設けられている記録に基づき、前記プリペイドカードの残額を減じる情報を前記プリペイドカードに書き込みかつ前記仮処理フラグを前記プリペイドカードから消去し、前記読み取られた仮処理フラグが積み増しなしに関する場合には、前記読み取られた固有情報に関連して設けられている記録に基づき、前記プリペイドカードの残額を積み増す情報を前記プリペイドカードに書き込みかつ前記仮処理フラグを前記プリペイドカードから消去するカード情報書き込み部と
を具備することを特徴とするカード残額積み替え装置。
【請求項９】
第１のプリペイドカードの真贋を判定するカード監査部と、前記第１のプリペイドカードの残額を読み取りかつ前記第１のプリペイドカードとは異なる第２のプリペイドカードが有する固有情報を前記第１のプリペイドカードに書き込む第１プリペイドカードリードライタと、前記第２のプリペイドカードから該第２のプリペイドカードが有する前記固有情報を読み取り、かつ、前記判定された結果が真券である場合には、該第２のプリペイドカードに対して前記読み取られた第１のプリペイドカードの残額の分の積み増しを行いかつ該第２のプリペイドカードに第１の仮処理フラグを書き込み、前記判定された結果が偽券または真偽不明の場合には、該第２のプリペイドカードに前記第１の仮処理フラグとは異なる第２の仮処理フラグを書き込む第２プリペイドカードリードライタと、前記固有情報が書き込まれた第１のプリペイドカードを回収する第１プリペイドカード回収部と、前記第２のプリペイドカードの積み増し後残額または積み増しがされない残額並びに前記読み取られた固有情報を上位装置に送信する送信部とを備えた第１のカード残額積み替え装置と、
前記回収された第１のプリペイドカードを再真贋判定するカード再監査部と、前記第１のプリペイドカードから前記残額と前記書き込まれた第２のプリペイドカードの固有情報とを読み取るカードリードライタと、前記再真贋判定の結果が偽券である場合には、前記第２のプリペイドカードについての前記送信された残額の記録を前記読み取られた第１のプリペイドカード残額の分だけ減じて記録し直すべき旨の情報を生成し、前記再度の真贋判定の結果が真券である場合には、前記第２のプリペイドカードについての前記送信された残額の記録を前記読み取られた第１のプリペイドカード残額の分だけ増して記録し直すべき旨の情報を生成する処理部と、前記生成された情報と前記読み取られた固有情報とを前記上位装置に送信する第２の送信部とを備えた第２のカード残額積み替え装置と、
前記第２のプリペイドカードが有する前記固有情報と前記第１または前記第２の仮処理フラグとを読み取るカード情報読み取り部と、前記第１の仮処理フラグが読み取られた場合には、前記固有情報に関連して設けられている前記上位装置からの前記残額の記録に基づき、前記第２のプリペイドカードの残額を減じる情報を前記第２のプリペイドカードに書き込みかつ前記第１の仮処理フラグを前記第２のプリペイドカードから消去し、前記第２の仮処理フラグが読み取られた場合には、前記固有情報に関連して設けられている前記上位装置からの前記残額の記録に基づき、前記第２のプリペイドカードの残額を積み増す情報を前記第２のプリペイドカードに書き込みかつ前記第２の仮処理フラグを前記プリペイドカードから消去するカード情報書き込み部とを備えた第３のカード残額積み替え装置と
を具備することを特徴とするカード残額積み替えシステム。
【請求項１０】
プリペイドＩＣカードに記録された固有情報と積み増しありに関するまたは積み増しなしに関する仮処理フラグとを読み取るカード情報読み取り部と、
前記読み取られた仮処理フラグが積み増しありに関する場合には、前記読み取られた固有情報に関連して設けられている記録に基づき、前記プリペイドＩＣカードの残額を減じる情報を前記プリペイドＩＣカードに書き込みかつ前記仮処理フラグを前記プリペイドＩＣカードから消去し、前記読み取られた仮処理フラグが積み増しなしに関する場合には、前記読み取られた固有情報に関連して設けられている記録に基づき、前記プリペイドＩＣカードの残額を積み増す情報を前記プリペイドＩＣカードに書き込みかつ前記仮処理フラグを前記プリペイドカードから消去し、かつ、前記プリペイドＩＣカードに対して道路利用額引き去りの書き込みをさらに行うカード情報書き込み部と
を具備することを特徴とする、ＩＣカードを用いる料金収受システム。
【発明の詳細な説明】
【０００１】
【発明の属する技術分野】
本発明は、プリペイドカードの残額の積み替えをあるカードから別のカードに対して行うカード残額積み替え方法、カード残額積み替え装置、カード残額積み替えシステム、およびこれらの方法、装置、システムに適応する、ＩＣカードを用いる料金収受システムに係り、特に、プリペイドカードの利用者、被利用者の双方に利便性のあるカード残額積み替え方法、カード残額積み替え装置、カード残額積み替えシステム、およびＩＣカードを用いる料金収受システムに関する。
【０００２】
【従来の技術】
プリペイドカードの残額の積み替えをあるカードから別のカードに対して行うカード残額積み替えに関する従来技術として下記特許文献１に開示のものがある。この装置または方法によると、プリペイドカードとしての例えばＩＣカード同士間で、指定した金額が移し替えられることが述べられている。
【０００３】
プリペイドカードには、ＩＣカードのように比較的セキュリティ性が高く偽造されにくいものと、磁気カードのように比較的偽造がされやすくすでに少なからず偽券が存在するものとがある。このような複数種のプリペイドカードが存在する現在の状況は、急激に磁気カード方式が駆逐された状態になると考えられる。すなわち、このような状況の変化に対応して、真券である磁気カードの残額を利便性高くＩＣカードのようなセキュリティ性の高いプリペイドカードに移行させる（または移し替える）技術の必要性は高いと考えられる。
【０００４】
【特許文献１】
特開２００２−２８８６０３号公報
【０００５】
【発明が解決しようとする課題】
上記のような移行の一つとして、（１）一定期間内では従来の磁気カードを相当額のＩＣカードと交換、（２）一定期間終了後には、提出された従来の磁気カードを一時預ることにし、真贋が判定されてから相当額のＩＣカードを交付する、のような方法が採られることがある。しかし、（１）の期間での交換では事業者（カードの被利用者）側に、真贋確認がされていないないしは確認レベルの低い磁気カードを新規のＩＣカードに交換してしまうリスクがあり、（２）の期間では利用者側に一律に真贋判定までの期間待機を強いる結果となり利便性がよくない。
【０００６】
本発明は、上記の事情を考慮してなされたもので、プリペイドカードの残額の積み替えをあるカードから別のカードに対して行うカード残額積み替え方法、カード残額積み替え装置、カード残額積み替えシステム、およびこれらの方法、装置、システムに適応する、ＩＣカードを用いる料金収受システムにおいて、プリペイドカードの利用者、被利用者の双方にとって利便性を享有することが可能となるカード残額積み替え方法、カード残額積み替え装置、カード残額積み替えシステム、およびＩＣカードを用いる料金収受システムを提供することを目的とする。
【０００７】
【課題を解決するための手段】
上記の課題を解決するため、本発明に係るカード残額積み替え方法は、第１のプリペイドカードの真贋を判定する第１のステップと、前記判定された結果が真券である場合に、前記第１のプリペイドカードとは異なる第２のプリペイドカードの残額に前記第１のプリペイドカードの残額を積み増しかつ前記第２のプリペイドカードに第１の仮処理フラグを書き込み、前記第１のプリペイドカードに前記第２のプリペイドカードの固有情報を書き込んで該固有情報が書き込まれた第１のプリペイドカードを回収し、さらに、前記残額が積み増されかつ前記第１の仮処理フラグが書き込まれた第２プリペイドカードを供給する、の一連の処理を行なう第２のステップと、前記判定された結果が偽券または真偽不明の場合に、前記第１のプリペイドカードとは異なる第２のプリペイドカードに前記第１の仮処理フラグとは異なる第２の仮処理フラグを書き込み、前記第１のプリペイドカードに前記第２のプリペイドカードの固有情報を書き込んで該固有情報が書き込まれた第１のプリペイドカードを回収し、さらに、前記第２の仮処理フラグが書き込まれた第２プリペイドカードを供給する、の一連の処理を行なう第３のステップと、前記第２のステップの前記処理の内容のうち少なくとも前記第２のプリペイドカードの固有情報および積み増し後の残額、または前記第３のステップの前記処理の内容のうち少なくとも前記第２のプリペイドカードの固有情報および残額を、記録として残す第４のステップとを具備することを特徴とする。
【０００８】
すなわち、供給される第２のプリペイドカードに仮処理フラグを書き込む。仮処理フラグにより、回収された第１のプリペイドカードとの関係がわかるようになる。これにより、とりあえず真券とされた第１のプリペイドカードの残額を迅速に第２のプリペイドに積み替えて利用者の利便を図り、かつ被利用者は仮処理フラグを用いることにより事後的に第２のプリペイドカードの残額を例えば減額修正することができる。また、とりあえずは偽券または真偽不明とされた場合にも、仮処理フラグによって事後的に残額の例えば増加修正を行うことができる。よって、利用者、被利用者の双方にとって利便性が高くなる。
【０００９】
また、本発明に係るカード残額積み替え装置は、第１のプリペイドカードの真贋を判定するカード監査部と、前記第１のプリペイドカードの残額を読み取りかつ前記第１のプリペイドカードとは異なる第２のプリペイドカードが有する固有情報を前記第１のプリペイドカードに書き込む第１プリペイドカードリードライタと、前記第２のプリペイドカードから該第２のプリペイドカードが有する前記固有情報を読み取り、かつ、前記判定された結果が真券である場合には、該第２のプリペイドカードに対して前記読み取られた第１のプリペイドカードの残額の分の積み増しを行いかつ該第２のプリペイドカードに第１の仮処理フラグを書き込み、前記判定された結果が偽券または真偽不明の場合には、該第２のプリペイドカードに前記第１の仮処理フラグとは異なる第２の仮処理フラグを書き込む第２プリペイドカードリードライタと、前記固有情報が書き込まれた第１のプリペイドカードを回収する第１プリペイドカード回収部と、前記第２のプリペイドカードの積み増し後残額または積み増しがされない残額並びに前記読み取られた固有情報を外部に送信する送信部とを具備することを特徴とする。
【００１０】
この装置は、上記の方法に使用できる、第１のプリペイドカードを回収して第２のプリペイドカードを供給するための装置である。
【００１１】
また、本発明に係る別のカード残額積み替え装置は、第１のプリペイドカードを真贋判定するカード監査部と、前記第１のプリペイドカードから残額と記録された第２のプリペイドカードの固有情報とを読み取るカードリードライタと、前記真贋判定の結果が偽券である場合には、前記第２のプリペイドカードについての残額記録を前記読み取られた第１のプリペイドカード残額の分だけ減じて記録し直すべき旨の情報を生成し、前記再度の真贋判定の結果が真券である場合には、前記第２のプリペイドカードについての残額記録を前記読み取られた第１のプリペイドカード残額の分だけ増して記録し直すべき旨の情報を生成する処理部と、前記生成された情報と前記読み取られた固有情報とを外部に送信する送信部とを具備することを特徴とする。
【００１２】
この装置は、上記の方法に対応して使用することができる、回収された第１のプリペイドカードの精緻な真贋判定とこの真贋判定に基づいて対応する第２のプリペイドカードに対する修正情報の生成とを行う装置である。
【００１３】
また、本発明に係るさらに別のカード残額積み替え装置は、プリペイドカードに記録された固有情報と積み増しありに関するまたは積み増しなしに関する仮処理フラグとを読み取るカード情報読み取り部と、前記読み取られた仮処理フラグが積み増しありに関する場合には、前記読み取られた固有情報に関連して設けられている記録に基づき、前記プリペイドカードの残額を減じる情報を前記プリペイドカードに書き込みかつ前記仮処理フラグを前記プリペイドカードから消去し、前記読み取られた仮処理フラグが積み増しなしに関する場合には、前記読み取られた固有情報に関連して設けられている記録に基づき、前記プリペイドカードの残額を積み増す情報を前記プリペイドカードに書き込みかつ前記仮処理フラグを前記プリペイドカードから消去するカード情報書き込み部とを具備することを特徴とする。
【００１４】
この装置は、上記の方法に対応して使用することができる、精緻な真贋判定の結果に基づき生成された修正情報を第２のプリペイドカードに対して適用するための装置である。
【００１５】
また、本発明に係るカード残額積み替えシステムは、第１のプリペイドカードの真贋を判定するカード監査部と、前記第１のプリペイドカードの残額を読み取りかつ前記第１のプリペイドカードとは異なる第２のプリペイドカードが有する固有情報を前記第１のプリペイドカードに書き込む第１プリペイドカードリードライタと、前記第２のプリペイドカードから該第２のプリペイドカードが有する前記固有情報を読み取り、かつ、前記判定された結果が真券である場合には、該第２のプリペイドカードに対して前記読み取られた第１のプリペイドカードの残額の分の積み増しを行いかつ該第２のプリペイドカードに第１の仮処理フラグを書き込み、前記判定された結果が偽券または真偽不明の場合には、該第２のプリペイドカードに前記第１の仮処理フラグとは異なる第２の仮処理フラグを書き込む第２プリペイドカードリードライタと、前記固有情報が書き込まれた第１のプリペイドカードを回収する第１プリペイドカード回収部と、前記第２のプリペイドカードの積み増し後残額または積み増しがされない残額並びに前記読み取られた固有情報を上位装置に送信する送信部とを備えた第１のカード残額積み替え装置と、前記回収された第１のプリペイドカードを再真贋判定するカード再監査部と、前記第１のプリペイドカードから前記残額と前記書き込まれた第２のプリペイドカードの固有情報とを読み取るカードリードライタと、前記再真贋判定の結果が偽券である場合には、前記第２のプリペイドカードについての前記送信された残額の記録を前記読み取られた第１のプリペイドカード残額の分だけ減じて記録し直すべき旨の情報を生成し、前記再度の真贋判定の結果が真券である場合には、前記第２のプリペイドカードについての前記送信された残額の記録を前記読み取られた第１のプリペイドカード残額の分だけ増して記録し直すべき旨の情報を生成する処理部と、前記生成された情報と前記読み取られた固有情報とを前記上位装置に送信する第２の送信部とを備えた第２のカード残額積み替え装置と、
【００１６】
前記第２のプリペイドカードが有する前記固有情報と前記第１または前記第２の仮処理フラグとを読み取るカード情報読み取り部と、前記第１の仮処理フラグが読み取られた場合には、前記固有情報に関連して設けられている前記上位装置からの前記残額の記録に基づき、前記第２のプリペイドカードの残額を減じる情報を前記第２のプリペイドカードに書き込みかつ前記第１の仮処理フラグを前記第２のプリペイドカードから消去し、前記第２の仮処理フラグが読み取られた場合には、前記固有情報に関連して設けられている前記上位装置からの前記残額の記録に基づき、前記第２のプリペイドカードの残額を積み増す情報を前記第２のプリペイドカードに書き込みかつ前記第２の仮処理フラグを前記プリペイドカードから消去するカード情報書き込み部とを備えた第３のカード残額積み替え装置とを具備することを特徴とする。
【００１７】
このシステムは、上記述べた３つの装置をすべて備えてシステム化したものである。
【００１８】
また、本発明に係る、ＩＣカードを用いる料金収受システムは、プリペイドＩＣカードに記録された固有情報と積み増しありに関するまたは積み増しなしに関する仮処理フラグとを読み取るカード情報読み取り部と、前記読み取られた仮処理フラグが積み増しありに関する場合には、前記読み取られた固有情報に関連して設けられている記録に基づき、前記プリペイドＩＣカードの残額を減じる情報を前記プリペイドＩＣカードに書き込みかつ前記仮処理フラグを前記プリペイドＩＣカードから消去し、前記読み取られた仮処理フラグが積み増しなしに関する場合には、前記読み取られた固有情報に関連して設けられている記録に基づき、前記プリペイドＩＣカードの残額を積み増す情報を前記プリペイドＩＣカードに書き込みかつ前記仮処理フラグを前記プリペイドカードから消去し、かつ、前記プリペイドＩＣカードに対して道路利用額引き去りの書き込みをさらに行うカード情報書き込み部とを具備することを特徴とする。
【００１９】
この料金収受システムは、上記で述べた、精緻な真贋判定の結果に基づき生成された修正情報を第２のプリペイドカードに対して適用するための装置を、同時に料金収受のために使用できるように構成したものである。
【００２０】
【発明の実施の形態】
本発明の実施態様としてのカード残額積み替え方法は、前記第２のステップで回収された第１のプリペイドカードについて、残額と前記記録された第２のプリペイドカードの固有情報とを読み出しかつ精度を向上して再度真贋判定するステップと、前記再度の真贋判定の結果が偽券である場合に、前記読み出された固有情報により、前記第４のステップで残された前記第２のプリペイドカードの積み増し後の残額記録から、前記読み出された第１のプリペイドカードの残額の分を減じて記録し直すステップとをさらに具備してもよい。
【００２１】
また、本発明の実施態様としてのカード残額積み替え方法は、前記第３のステップで回収された第１のプリペイドカードについて、残額と前記記録された第１のプリペイドカードの固有情報とを読み出しかつ精度を向上して再度真贋判定するステップと、前記再度の真贋判定の結果が真券である場合に、前記読み出された固有情報により、前記第４のステップで残された前記第２のプリペイドカードの残額記録に、前記読み出された第１のプリペイドカードの残額の分を加えて記録し直すステップとをさらに具備してもよい。
【００２２】
また、本発明の実施態様としてのカード残額積み替え方法は、前記供給された第２のプリペイドカードの保持情報を読み取るステップと、前記読み取られた情報に前記第１の仮処理フラグが含まれる場合に、前記読み取られた情報に含まれる固有情報から前記記録を調査するステップと、前記調査された記録の内容に基づき、前記情報を読み取られた第２のプリペイドカードについて残額を減ずるステップと、前記残額を減じられた第２のプリペイドカードの前記第１の仮処理フラグを消去するステップとをさらに具備してもよい。
【００２３】
また、本発明の実施態様としてのカード残額積み替え方法は、前記供給された第２のプリペイドカードの保持情報を読み取るステップと、前記読み取られた情報に前記第２の仮処理フラグが含まれる場合に、前記読み取られた情報に含まれる固有情報から前記記録を調査するステップと、前記調査された記録の内容に基づき、前記情報を読み取られた第２のプリペイドカードについて残額を増加させるステップと、前記残額を増加された第２のプリペイドカードの前記第２の仮処理フラグを消去するステップとをさらに具備してもよい。
【００２４】
これらの実施態様は、上記で述べた、本発明に係るカード残額積み替え方法に対して事後的に生じ得るステップを加えたものである。
【００２５】
以上を踏まえ、以下では本発明の実施形態を図面を参照しながら説明する。図１は、本発明の一実施形態に係るカード残額積み替え方法を実行するためのシステムおよび本発明の一実施形態に係るＩＣカードを用いる料金収受システムを機能ブロックとして示す図である。図１に示すように、このシステムは、第１のカード残額積み替え装置としての端末装置１０、第２のカード残額積み替え装置としての後方処理装置２０、第３のカード残額積み替え装置（またはＩＣカードを用いる料金収受システム）としてのＩＣカード料金収受端末３４、および上位処理装置３５とを有する。
【００２６】
これらの装置１０、２０、端末３４と、上位処理装置３５との間では例えば通信路を介してそれぞれ必要な情報のやり取りが行われる。また、第１のプリペイドカードとしての磁気カード３２は、端末装置１０に投入されてリードライト処理（この処理には真贋判定が含まれる。）かつ回収され、さらにその後、後方処理装置２０に投入されてリードライト処理（この処理には真贋判定が含まれる）かつ蓄積される。第２のプリペイドカードとしてのＩＣカード３１は、端末装置１０から必要なリードライト処理を行なったものが流通されるか、またはあらかじめ流通しているものに対して端末装置１０が必要なリードライト処理を行なう。流通しているＩＣカード３１には、ＩＣカード料金収受端末３４で必要なリードライト処理が行われる。端末装置１０からは磁気カード３２に対する預り証３３が発行される。
【００２７】
ちなみに、これらの装置１０、２０、３５、端末３４の配置場所は、例えば、端末装置１０はＩＣカード３１の売買を行う店頭や有料道路の料金所など、後方処理装置２０はある程度の地域を統括する営業センターなど、ＩＣカード料金収受端末３４は有料道路の料金所など、上位処理装置３５は有料道路を集中管理するセンターなどとすることを一応想定できる。これに限らずこれら一つの場所に二つ以上のものを配置することにしてもよい。
【００２８】
端末装置１０は、制御部１１、通信部１２、ＩＣカード蓄積部１３、ＩＣカードリードライタ１４、磁気カード蓄積部１５、磁気カードリードライタ１６、磁気カード監査部１７、預り証発行部１８を有する。制御部１１は、端末装置１０全体の動作を制御するための処理を行う。制御するための信号やデータのやり取りは上記各部との間で行われる。
【００２９】
通信部１２は、制御部１１の制御の下、上位処理装置３５との間で情報のやり取りを行う。上流方向には送信部となり下流方向には受信部となる。ＩＣカード蓄積部１３は流通させる前のＩＣカード３１を保持・蓄積しておくものである。ＩＣカードリードライタ１４は、制御部１１の制御の下、ＩＣカード３１に対して必要な情報のリードライトを行うものである。
【００３０】
磁気カード蓄積部１５は、制御部１１の制御の下、必要な情報のリードライト処理がされた磁気カード３２の回収部としてこれを蓄積するものである。磁気カードリードライタ１６は、制御部１１の制御の下、磁気カード３２に対して必要な情報をリードライトするものである。磁気カード監査部１７は、制御部１１の制御の下、磁気カード３２の真贋判定（ラフな検査）を行うものである。預り証発行部１８は、制御部１１の制御の下、回収された磁気カード３２の代わりとなる預り証を利用者に発行するものである。
【００３１】
後方処理装置２０は、制御部２１、通信部２２、監査済磁気カード蓄積部２３、磁気カードリードライタ２４、磁気カード監査部２５、監査前磁気カード蓄積部２６を有する。制御部２１は、後方処理装置２０全体の動作を制御するための処理を行う。制御するための信号やデータのやり取りは上記各部との間で行われる。また、磁気カード３２の精緻な真贋判定の結果に基づき、対応するＩＣカード３１の残額を増すべきまたは減じるべき旨の情報の生成を行う処理部として機能する。
【００３２】
通信部２２は、制御部２１の制御の下、上位処理装置３５との間で情報のやり取りを行う。上流方向には送信部となり下流方向には受信部となる。監査済磁気カード蓄積部２３は、制御部２１の制御の下、この装置２０での精緻な真贋判定の終了した磁気カード３２を蓄積するものである。磁気カードリードライタ２４は、制御部２１の制御の下、磁気カード３２に対して必要な情報をリードライトするものである。
【００３３】
磁気カード監査部２５は、制御部２１の制御の下、磁気カード３２の精緻な真贋判定を行うものである。監査前磁気カード蓄積部２３は、制御部２１の制御の下、この装置２０での精緻な真贋判定を待つ磁気カード２３を蓄積・保持しておくものである。監査前磁気カード蓄積部２３の磁気カード３２は、端末装置１０の磁気カード蓄積部１５から集められて蓄積される。
【００３４】
ＩＣカード料金収受端末３４は、ＩＣカードリードライタ３４１を有する。ＩＣカードリードライタ３４１は、ＩＣカード３１に対して必要な情報のリードライト処理を行ない、カード情報読み取り部／カード情報書き込み部として機能するものである。利用料金の引き去りのほか、対応する磁気カード３２の精緻な真贋判定の結果に応じてその残額分の積み増しまたは引き去りをＩＣカード３１に対して行う。
【００３５】
上位処理装置３５は、端末処理１０、後方処理装置２０、ＩＣカード料金収受端末３４との情報のやり取りを行う。特に、少なくともＩＣカード３１の固有情報（ＩＤ）に対応して残額を記録しておき、場合によりこの残額を記録し直す。「記録」は、端末装置１０からの送信情報に基づきなされ、「記録し直し」は、少なくとも後方処理装置２０からの送信情報に基づきなされる。固有情報と残額に関する情報とは、ＩＣカード料金収受端末３４からの問い合せに基づき送信され、またはあらかじめＩＣカード料金収受端末３４に対してリストとして配信される。
【００３６】
次に、図１に示したシステムの動作を図２ないし図９の流れ図をも参照して説明する。図２は、図１中に示した端末装置１０の動作フローを示す流れ図である。この端末装置１０では、磁気カード３２の残額分のＩＣカード３１への積み替え（とりあえずの積み替え）が行われる。
【００３７】
まず、ＩＣカード３１と磁気カード３２とを端末装置１０の所定部（ＩＣカードリードライタ１４、磁気カードリードライタ１６）に投入する（ステップ４１）。この投入はカード利用者や料金収受員により行なうことができる。ＩＣカード３１としてはあらかじめ流通されているものを投入する。磁気カード３２を投入しない場合にも単なるＩＣカード３１の発行機（または残額積み増し機）として機能し得るが発明の実施形態としての特徴発揮とはならないのでその場合の説明は省略する。
【００３８】
磁気カード３２のみ投入されＩＣカード３１が投入されない場合には（ステップ４２のＮ）、ＩＣカード蓄積部１３から新規のＩＣカード３１をＩＣカードリードライタ１４に供給する（ステップ４３）。そして、ＩＣカード３１が投入されている場合（ステップ４２のＹ）ともども、次に、投入された磁気カード３２の真贋判定（ラフな検査）を行なう（ステップ４４）。この真贋判定はラフな検査であり、廉価な構成で高速に行なうことができる。例えば、端末装置１０を料金所に設け、利用者がＩＣカード３１による料金支払いと同時に磁気カード３２の残額積み替えを行なおうとする場合にも対応できる。
【００３９】
真贋判定の結果が真券の場合には（ステップ４５の「真券」）、磁気カードリードライタ１６で読み出された磁気カード３２の残額を、ポイントとしてＩＣカード３１に書き込む（積み増す）（ステップ４６）。さらに、ＩＣカード３１には積み増した旨の仮処理フラグを書き込み（ステップ４７）、磁気カード３２にはＩＣカード３１の固有情報を書き込む（ステップ４８）。磁気カード３２へのこの書き込みにより対応するＩＣカード３１を特定することができる。書き込みがされた磁気カード３２は回収される（ステップ４９）。これによりその磁気カード３２は流通を終える。
【００４０】
次に、上記の処理内容を端末装置１０から上位処理装置３５に送信する（ステップ５４）。送信される内容としては、例えば少なくともＩＣカード３１の固有情報とその積み増された後の残額とである。そして、残額が積み増されかつその旨の仮処理フラグが記録されたＩＣカード３２が利用者に返却（または発行）される（ステップ５５）。なお、送信された情報は上位処理装置３５で保持・管理される。
【００４１】
一方、真贋判定の結果が偽券または真偽不明の場合には（ステップ４５の「偽券・不明」）、磁気カード３２の預り証３３を発行し（ステップ５０）、これを利用者に対して交付する。さらに、ＩＣカード３１には保留がある旨の仮処理フラグを書き込み（ステップ５１）、磁気カード３２にはＩＣカード３１の固有情報を書き込む（ステップ５２）。磁気カード３２へのこの書き込みにより対応するＩＣカード３１を特定することができる。書き込みがされた磁気カード３２は回収される（ステップ５３）。これによりその磁気カード３２は一応流通を終える。
【００４２】
次に、上記の処理内容を端末装置１０から上位処理装置３５に送信する（ステップ５４）。送信される内容としては、例えば少なくともＩＣカード３１の固有情報とその残額とである。そして、保留がある旨の仮処理フラグが記録されたＩＣカード３２が利用者に返却（または発行）される（ステップ５５）。なお、送信された情報は上位処理装置３５で保持・管理される。
【００４３】
以上説明のように、この実施形態では、端末装置１０での磁気カード３２の一応の真贋判定の結果に基づき、真券であれば迅速にその分をＩＣカード３１に積み増し、偽券・不明であれば積み増しなしでＩＣカード３１を発行（または返却）する。回収された磁気カード３２には対応するＩＣカード３１の固有情報が書き込まれ、かつ、ＩＣカード３１には仮処理フラグが書き込まれているので、回収された磁気カード３２のこの後の精緻な真贋判定の結果により、ＩＣカード３１が使用されるときにその残額を容易に修正できる。カード利用者にとって迅速な残額積み替えが実現され、またカード被利用者（事業者）にとって偽券を真券としてＩＣカードを発行してしまうリスクを回避することができる。
【００４４】
図３、図４は、図１中に示した後方処理装置２０の動作フローを示す流れ図である。この後方装置装置２０では、回収された磁気カード３２（真券とされたもの、偽券・不明とされたものの両者）について精緻な真贋判定を行ない、その結果に基づき、上位処理装置３５に記録されている情報の修正を行なうべく情報を送信する。図３は、磁気カード３２がラフな検査により真券とされている場合の動作、図４は、同じく偽券・不明とされている場合の動作であり、説明の便宜上分けて示している。
【００４５】
図３を参照するに、まず、回収された磁気カード３２を監査前磁気カード蓄積部２６を介して装置内に取り込み（ステップ６１）、その内容（少なくとも残額および対応するＩＣカード３１の固有情報）の読み取りと真贋判定とを行なう（ステップ６２）。この真贋判定は精度を向上してなされるものであるが、カード利用者との対面の場で行なうものではないのである程度の時間がかかってもよい。
【００４６】
この精緻な真贋判定でも真券と判定された場合には（ステップ６３の「真券」）、その処理結果を後方処理装置２０から上位処理装置３５に送信する（ステップ６６）。送信する情報としては、例えば少なくとも磁気カード３２に記録されたＩＣカード３１の固有情報と精緻な真贋判定がされた旨とである。上位処理装置３５では、これに基づき例えばその固有情報に対応づけて精緻な真贋判定がされた旨を記録する。
【００４７】
一方、精緻な真贋判定では偽券と判定された場合には（ステップ６３の「偽券」）、上位処理装置３５に、対応するＩＣカード３１の残額を問い合せて取得する（ステップ６４）。そしてこの残額から磁気カード３２の残額分を差し引く処理を行ない（ステップ６５）、その結果を上位処理装置３５に送信する（ステップ６６）。送信する情報としては、例えば少なくともＩＣカード３１の固有情報、新たな残額、および精緻な真贋判定がされた旨である。上位処理装置３５では、これに基づき例えばその固有情報に対応づけてＩＣカード３１の残額に関する情報を記録し直しもしくは記録し足し（「記録し直しもしくは記録し足し」を以下では単に「記録し直し」という。）また精緻な真贋判定がされた旨を記録する。
【００４８】
ステップ６４、ステップ６５、ステップ６６の一連の処理では、上記の処理に代えて、上位処理装置３５にあらかじめ問い合わせを行なうことなく、磁気カード３２の残額分だけＩＣカード３１の残額に関する情報を減ずる旨の情報を生成し、この情報を上位処理装置３５に送信するようにしてもよい。上位処理装置３５では、これに基づき例えばＩＣカード３１の固有情報に対応づけてＩＣカード３１の残額に関する情報を記録し直しまた精緻な真贋判定がされた旨を記録する。
【００４９】
また、ラフな検査では偽券・不明とされた磁気カード３２の場合には、図４を参照するに、図３に示した場合と同様に、回収された磁気カード３２を監査前磁気カード蓄積部２６を介して装置内に取り込み（ステップ７１）、その内容（少なくとも残額および対応するＩＣカード３１の固有情報）の読み取りと真贋判定とを行なう（ステップ７２）。
【００５０】
この精緻な真贋判定で確実に偽券と判定された場合には（ステップ７３の「偽券」）、その処理結果を後方処理装置２０から上位処理装置３５に送信する（ステップ７６）。送信する情報としては、例えば少なくとも磁気カード３２に記録されたＩＣカード３１の固有情報と精緻な真贋判定がされた旨とである。上位処理装置３５では、これに基づき例えばその固有情報に対応づけて精緻な真贋判定がされた旨を記録する。
【００５１】
一方、精緻な真贋判定では真券と判定された場合には（ステップ７３の「真券」）、上位処理装置３５に、対応するＩＣカード３１の残額を問い合せて取得する（ステップ７４）。そしてこの残額に磁気カード３２の残額分を積み増す処理を行ない（ステップ７５）、その結果を上位処理装置３５に送信する（ステップ７６）。送信する情報としては、例えば少なくともＩＣカード３１の固有情報、新たな残額、および精緻な真贋判定がされた旨である。上位処理装置３５では、これに基づき例えばその固有情報に対応づけてＩＣカード３１の残額に関する情報を記録し直しまた精緻な真贋判定がされた旨を記録する。
【００５２】
ステップ７４、ステップ７５、ステップ７６の一連の処理では、上記の処理に代えて、あらかじめ上位処理装置３５に問い合わせを行なうことなく、磁気カード３２の残額分だけＩＣカード３１の残額に関する情報を増加する旨の情報を生成し、この情報を上位処理装置３５に送信するようにしてもよい。上位処理装置３５では、これに基づき例えばＩＣカード３１の固有情報に対応づけてＩＣカード３１の残額に関する情報を記録し直しまた精緻な真贋判定がされた旨を記録する。
【００５３】
以上の後方処理装置２０の動作およびその処理結果の上位処理装置３５への送信により、上位処理装置３５で保持・管理されるＩＣカード３１の残額に関する情報は、対応する磁気カード３２の精緻な真贋判定結果に応じて適切なものになる。すなわち、端末装置１０においてＩＣカード３１にとりあえず積み増しがされてもまたは積み増しがされなくても、上位処理装置３５で保持・管理されるＩＣカード３１の残額に関する情報は、あるべき額の情報を示すように記録されることになる。
【００５４】
図５は、ＩＣカード料金収受端末３４の動作フローを示す流れ図である。このＩＣカード料金収受端末３４では、ＩＣカード３１に対して通常の利用料金の引き去り処理を行なうほかに、先に行なった磁気カード３２についての一応の真贋判定済記録である仮処理フラグに基づき、磁気カード３２の残額分の最終的な決済処理を行なう。
【００５５】
まず、ＩＣカード３１をＩＣカード料金収受端末３４内のＩＣカードリードライタ３４１に投入し（ステップ８１）、その保持情報を読み取る。読み取られる保持情報には仮処理フラグが含まれる（ステップ８２）。フラグが記録されていない場合には（ステップ８３の「なし」）、通常のＩＣカード料金収受処理を行なう（ステップ９２）。通常のＩＣカード料金収受処理とは、例えば利用料金分をその残額から引き去る処理である。
【００５６】
仮処理フラグが積み増した旨のものである場合には（ステップ８３の「ポイント移行あり」）、上位処理装置３５に対してＩＣカード３１の固有情報に基づき対応する磁気カード３２の精緻な真贋判定結果を問い合せる（ステップ８４）。問い合せには、ＩＣカード３１の残額に関する情報を得ることも含まれる。この結果に基づき（ステップ８５）、何もせずに、または処理１（ステップ８６）もしくは処理２（ステップ８７）を実行したあとに、通常のＩＣカード料金収受処理を行なう（ステップ９２）。処理１、処理２の詳細は後述するが、それぞれ、対応する磁気カード３２が真券である場合、偽券である場合の処理である。
【００５７】
仮処理フラグが保留がある旨のものである場合には（ステップ８３の「真贋保留あり」）、上位処理装置３５に対してＩＣカード３１の固有情報に基づき対応する磁気カード３２の精緻な真贋判定結果を問い合せる（ステップ８８）。問い合せには、ＩＣカード３１の残額に関する情報を得ることも含まれる。この結果に基づき（ステップ８５）、何もせずに、または処理３（ステップ９０）もしくは処理４（ステップ９１）を実行したあとに、通常のＩＣカード料金収受処理を行なう（ステップ９２）。処理３、処理４の詳細は後述するが、それぞれ、対応する磁気カード３２が真券である場合、偽券である場合の処理である。
【００５８】
なお、仮処理フラグが積み増した旨のものである場合、保留がある旨のものである場合いずれも、磁気カード３２の精緻な真贋判定結果を上位処理装置３５に問い合せること（ステップ８４、ステップ８５）に代えて、上位処理装置３５からＩＣカード料金収受端末３４にあらかじめ精緻な真贋判定結果を伴ったＩＣカード３１の残額に関する情報が配信されるようにしておき、この配信された情報を利用するようにしてもよい。このようにすると各ＩＣカード料金収受端末３４から上位処理装置３５への問い合せが集中して通信路が通じにくくなる状況を効果的に回避することができる。
【００５９】
また、仮処理フラグが積み増した旨のものである場合、保留がある旨のものである場合でそれぞれステップ８５、ステップ８９から「何もせずに」に移行する場合は、磁気カード３２の精緻な真贋判定がまだ得られていないときに対応する。このときには、通常のＩＣカード料金収受処理（ステップ９２）の結果によるその残額を上位処理装置３５に送信しそこでその残額を保持・管理するようにしてもよい。上位処理装置３５では残額のみ（すなわち積み増し額やその取り消しの額の情報を含めずに）保持・管理される場合もあり得るからである。
【００６０】
図６は、上記のステップ８６の処理内容を示す流れ図である。この処理がされる場合は、仮処理フラグが積み増した旨のものである場合であって、対応する磁気カード３２の精緻な真贋判定結果が真券であるときである。このときは、磁気カード３２の真贋とＩＣカード３１の保持する残額とは整合している。したがって、ここではＩＣカード３１の残額を操作することなく、ＩＣカード３１に記録された仮処理フラグの消去のみ行なう（ステップ１０１）。これにより真券である磁気カード３２の残額分の最終的な決済処理が終了する。なお、ここで磁気カード３２が真券であった旨の通知書を、通知書発行部（図示せず）により利用者に対して発行するようにしてもよい。
【００６１】
図７は、上記のステップ８７の処理内容を示す流れ図である。この処理がされる場合は、仮処理フラグが積み増した旨のものである場合であって、対応する磁気カード３２の精緻な真贋判定結果が偽券であるときである。このときは、磁気カード３２の真贋とＩＣカード３１の保持する残額とは整合しない。そこで、得られている記録し直し後の残額に関する情報に基づきＩＣカード３１の残額を減額する（ステップ１１１）。そして、ＩＣカード３１の利用者に対してその旨を通知するための通知書を、通知書発行部（図示せず）により発行する（ステップ１１２）。
【００６２】
上記の減額によりＩＣカード３１の残額がマイナスとなる場合（すなわちプリペイド額が不足している）があり得る。その場合には（ステップ１１３のＮ）、別途例えば現金により精算処理を行なう（ステップ１１４）。そして、ＩＣカード３１の残額がマイナスとならない場合ともども、ＩＣカード３１に記録された仮処理フラグの消去を行なう（ステップ１１５）。これにより偽券である磁気カード３２に伴う最終的な決済処理が終了する。
【００６３】
図８は、上記のステップ９０の処理内容を示す流れ図である。この処理がされる場合は、仮処理フラグが保留がある旨のものでありかつ対応する磁気カード３２の精緻な真贋判定結果が真券であるときである。このときは、磁気カード３２の真贋とＩＣカード３１の保持する残額とは整合していない。したがって、ここでは、得られている記録し直し後の残額に関する情報に基づきＩＣカード３１の残額を増額する（ステップ１２１）。そしてＩＣカード３１に記録された仮処理フラグの消去を行なう（ステップ１２２）。これにより真券である磁気カード３２の残額分の最終的な決済処理が終了する。なお、ここで磁気カード３２が真券であった旨の通知書を、通知書発行部（図示せず）により利用者に対して発行するようにしてもよい。
【００６４】
図９は、上記のステップ９１の処理内容を示す流れ図である。この処理がされる場合は、仮処理フラグが保留がある旨のものでありかつ対応する磁気カード３２の精緻な真贋判定結果がやはり偽券であるときである。このときは、磁気カード３２の真贋とＩＣカード３１の保持する残額とは整合している。したがって、ここでは、ＩＣカード３１の残額を操作することなく、磁気カード３２の精緻な真贋判定結果が偽券であった旨の通知書を、通知書発行部（図示せず）により発行する（ステップ１３１）。そしてＩＣカード３１に記録された仮処理フラグの消去を行なう（ステップ１３２）。これにより偽券である磁気カード３２に伴う最終的な決済処理が終了する。
【００６５】
以上説明のように、本実施形態によれば、回収された磁気カード３２には対応するＩＣカード３１の固有情報が書き込まれ、かつ、ＩＣカード３１には仮処理フラグが書き込まれているので、回収された磁気カード３２のこの後の精緻な真贋判定の結果を記録しておくことにより、ＩＣカード３１が使用されるとき（例えばＩＣカードによる料金収受のとき）にその残額を容易に修正できる。カード利用者にとって迅速な残額積み替えが実現され、またカード被利用者（事業者）にとって偽券を真券としてＩＣカードを発行してしまうリスクを回避することができる。
【００６６】
なお、上記説明の実施形態において、端末装置１０の磁気カード監査部１７を取り除きすべての磁気カード３２について真贋を保留としてシステムを構築することもできる。この場合利用者の利便性は犠牲になるが、磁気カード３２の真贋判定を後方処理装置２０でのみ行なうため磁気カード監査部１７の流出をより強固に防止することができる。したがって、全体としてのセキュリティ性を向上することができる。
【００６７】
また、以上の実施形態の説明では、第１のプリペイドカードとして磁気カード３２を、第２のプリペイドカードとしてＩＣカード３１を、それぞれ想定して述べたが、第１、第２のプリペイドカードともにＩＣカードの場合や磁気カードの場合についても本発明の適用することができる。例えばＩＣカード同士でもよりセキュリティの高いＩＣカードの使用に移行する場合などには同様な事情が生じるからである。これは磁気カード同士の場合も同様である。
【００６８】
【発明の効果】
以上詳述したように、本発明によれば、供給される第２のプリペイドカードにあらかじめ仮処理フラグを書き込む。仮処理フラグにより、回収された第１のプリペイドカードとの関係がわかるようになる。これにより、とりあえず真券とされた第１のプリペイドカードの残額を迅速に第２のプリペイドに積み替えて利用者の利便を図り、かつ被利用者は仮処理フラグを用いることにより事後的に第２のプリペイドカードの残額を例えば減額修正することができる。また、とりあえずは偽券または真偽不明とされた場合にも、仮処理フラグによって事後的に残額の例えば増加修正を行うことができる。よって、利用者、被利用者の双方にとって利便性が高くなる。
【図面の簡単な説明】
【図１】本発明の一実施形態に係るカード残額積み替えシステムを示す機能ブロック図。
【図２】図１中に示した端末装置１０の動作フローを示す流れ図。
【図３】図１中に示した後方処理装置２０の動作フローを示す流れ図。
【図４】図１中に示した後方処理装置２０の別の動作フローを示す流れ図。
【図５】図１中に示したＩＣカード料金収受端末の動作フローを示す図。
【図６】図５中に示したステップ８６の詳細を示す図。
【図７】図５中に示したステップ８７の詳細を示す図。
【図８】図５中に示したステップ９０の詳細を示す図。
【図９】図５中に示したステップ９１の詳細を示す図。
【符号の説明】
１０…端末装置（第１のカード残額積み替え装置）  １１…制御部  １２…通信部  １３…ＩＣカード蓄積部  １４…ＩＣカードリードライタ  １５…磁気カード蓄積部  １６…磁気カードリードライタ  １７…磁気カード監査部  １８…預り証発行部  ２０…後方処理装置（第２のカード残額積み替え装置）  ２１…制御部  ２２…通信部  ２３…監査済磁気カード蓄積部  ２４…磁気カードリードライタ  ２５…磁気カード監査部  ２６…監査前磁気カード蓄積部  ３１…ＩＣカード  ３２…磁気カード  ３３…預り証  ３４…ＩＣカード料金収受端末（第３のカード残額積み替え装置）  ３５…上位処理装置  ３４１…ＩＣカードリードライタ
【図１】
2004326670.tif 000003
【図２】
2004326670.tif 000004
【図３】
2004326670.tif 000005
【図４】
2004326670.tif 000006
【図５】
2004326670.tif 000007
【図６】
2004326670.tif 000008
【図７】
2004326670.tif 000009
【図８】
2004326670.tif 000010
【図９】
2004326670.tif 000011